(57)【要約】【課題】待ち時間をポイントで利用者に還元することで、来場者の満足度を向上させると同時に、施設の運営上の効果も得ることができるようにする。【解決手段】施設の利用者が所持する携帯端末１と、携帯端末とネットワークを介して通信可能に接続されたサーバ２と、を備え、サーバが、施設での利用者の待ち時間を計測する待ち時間計測部３１と、利用者が施設を利用する際の状況に関する環境情報に基づいて換算率を設定して、その換算率に基づいて待ち時間に応じた獲得ポイントを算出して、その獲得ポイントにより利用者の保有する累計ポイントを更新するポイント管理部３２を備えることを特徴とする施設運営支援システム。【選択図】図５
2018084900.tif 000002
【特許請求の範囲】
【請求項１】
施設での利用者の待ち時間に応じたポイントを利用者に付与して、利用者の保有するポイントに応じたサービスまたは物品を利用者に提供する業務を支援する施設運営支援システムであって、
施設の利用者が所持する携帯端末装置と、
この携帯端末装置とネットワークを介して通信可能に接続されたサーバ装置と、を備え、
前記携帯端末装置および前記サーバ装置のいずれかが、
施設での利用者の待ち時間を計測する待ち時間計測部を備え、
前記サーバ装置が、
利用者が施設を利用する際の状況に関する環境情報に基づいて換算率を設定して、その換算率に基づいて前記待ち時間に応じた獲得ポイントを算出して、その獲得ポイントにより利用者の保有する累計ポイントを更新するポイント管理部を備えることを特徴とする施設運営支援システム。
【請求項２】
さらに、施設内に複数設置される無線発信装置を備え、
前記待ち時間計測部は、前記無線発信装置から送信される無線信号の前記携帯端末装置での受信状況に基づいて、前記待ち時間を計測することを特徴とする請求項１に記載の施設運営支援システム。
【請求項３】
前記無線発信装置は、利用者の待ちエリアに１つ設置され、
前記待ち時間計測部は、前記無線信号を前記携帯端末装置で受信したタイミングと、前記無線信号を前記携帯端末装置で受信できなくなったタイミングとに基づいて、前記待ち時間を計測することを特徴とする請求項２に記載の施設運営支援システム。
【請求項４】
前記無線発信装置は、利用者の待ちエリアおよび利用エリアに複数設置され、
前記待ち時間計測部は、複数の前記無線発信装置からそれぞれ送信される前記無線信号を前記携帯端末装置で受信したタイミングに基づいて、前記待ち時間を計測することを特徴とする請求項２に記載の施設運営支援システム。
【請求項５】
前記環境情報は、カレンダー情報、天候情報、利用エリアごとの混雑度に関する情報、および利用者の属性情報の少なくともいずれか一つであることを特徴とする請求項１に記載の施設運営支援システム。
【請求項６】
前記ポイント管理部は、前記カレンダー情報に基づいて、当日が平日である場合には、休日である場合より前記換算率を高く設定することを特徴とする請求項５に記載の施設運営支援システム。
【請求項７】
前記ポイント管理部は、前記天候情報に基づいて、当日が悪天候である場合には、悪天候でない場合より前記換算率を高く設定することを特徴とする請求項５に記載の施設運営支援システム。
【請求項８】
前記ポイント管理部は、前記利用エリアごとの混雑度に関する情報に基づいて、利用者が利用した前記利用エリアの混雑度が低い場合には、混雑度が高い場合より前記換算率を高く設定することを特徴とする請求項５に記載の施設運営支援システム。
【請求項９】
前記ポイント管理部は、前記利用者の属性情報に基づいて、利用者が遠隔地からの来場者である場合には、遠隔地からの来場者でない場合より前記換算率を高く設定することを特徴とする請求項５に記載の施設運営支援システム。
【請求項１０】
前記ポイント管理部は、利用者の指示に応じて、その利用者の保有するポイントを別の利用者に移転し、移転元の利用者と移転先の利用者とで構成されるグループによるポイントの利用を許可することを特徴とする請求項１に記載の施設運営支援システム。
【請求項１１】
施設の利用者が所持する携帯端末装置であって、
サーバ装置との間で通信を行う通信部と、
施設内に複数設置される無線発信装置から送信される無線信号を受信する受信部と、
表示部および入力部と、
前記通信部、前記受信部、前記表示部および前記入力部を制御する制御部と、を備え、
前記制御部は、
前記受信部での前記無線信号の受信状況に基づいて待ち時間を計測する処理を、自装置または前記サーバ装置に行わせ、
計測中の前記待ち時間を表示部に表示し、
確定した前記待ち時間、および前記サーバ装置において、利用者が施設を利用する際の状況に関する環境情報に基づいて設定された換算率にしたがって前記待ち時間から算出された獲得ポイントを、前記表示部に表示し、
前記サーバ装置において、前記獲得ポイントに以前の累計ポイントを加算して更新された累計ポイントを、前記表示部に表示し、
前記サーバ装置において、前記累計ポイントに基づいて抽出されたで交換対象を、前記表示部に表示し、
前記入力部により前記交換対象を選択する利用者の操作に応じて、前記サーバ装置において生成された、利用者が選択した前記交換対象の提供を受けるための証明情報を、前記表示部に表示することを特徴とする携帯端末装置。
【請求項１２】
携帯端末装置のプロセッサに実行させるプログラムであって、
施設内に複数設置される無線発信装置から送信される無線信号の受信状況に基づいて待ち時間を計測する処理を、自装置またはサーバ装置に行わせるステップと、
計測中の前記待ち時間を表示部に表示するステップと、
確定した前記待ち時間、および前記サーバ装置において、利用者が施設を利用する際の状況に関する環境情報に基づいて設定された換算率にしたがって前記待ち時間から算出された獲得ポイントを、前記表示部に表示するステップと、
前記サーバ装置において、前記獲得ポイントに以前の累計ポイントを加算して更新された累計ポイントを、前記表示部に表示するステップと、
前記サーバ装置において、前記累計ポイントに基づいて抽出された交換対象を、前記表示部に表示するステップと、
入力部により前記交換対象を選択する利用者の操作に応じて、前記サーバ装置において生成された、利用者が選択した前記交換対象の提供を受けるための証明情報を、前記表示部に表示するステップと、
を含むことを特徴とするプログラム。
【発明の詳細な説明】
【技術分野】
【０００１】
本発明は、施設での利用者の待ち時間に応じたポイントを利用者に付与して、利用者の保有するポイントに応じたサービスまたは物品を利用者に提供する業務を支援する施設運営支援システム、施設の利用者が所持する携帯端末装置、および携帯端末装置のプロセッサに実行させるプログラムに関するものである。
【背景技術】
【０００２】
テーマパークなどの施設では、アトラクションなどの利用エリアの前で長時間待たされることがある。この待ち時間が長くなることは、来場者の満足度を低下させる。そこで、待ち時間を別のサービスや物品で利用者に還元するようにするとよい。
【０００３】
このような待ち時間の利用者への還元に関するものとして、従来、待ち時間の長さに応じたポイントを利用者に付与して、そのポイントを別の機会で順番待ちとなった場合に利用することで、順番を繰り上げて待ち時間を短縮できるようにした技術が知られている（特許文献１参照）。
【先行技術文献】
【特許文献】
【０００４】
【特許文献１】特許第５６５１５８７号公報
【発明の概要】
【発明が解決しようとする課題】
【０００５】
さて、施設を運営するにあたっては、平日や悪天候時の来場者を増やしたり、人気のあまりないアトラクションに来場者を誘導したり、遠隔地からの来場者を増やしたりしたい要望があり、このような施設の運営上の要望を、利用者に付与するポイントで実現することが考えられる。
【０００６】
しかしながら、前記従来の技術では、待ち時間を一律にポイント化するようにしており、施設の運営上の要望が一切考慮されておらず、待ち時間をポイントで利用者に還元することで、来場者の満足度を向上させることはできても、施設の運営上の効果が得られないという問題があった。
【０００７】
そこで、本発明は、待ち時間をポイントで利用者に還元することで、来場者の満足度を向上させると同時に、施設の運営上の効果も得ることができる施設運営支援システム、携帯端末装置およびプログラムを提供することを主な目的とする。
【課題を解決するための手段】
【０００８】
本発明の施設運営支援システムは、施設での利用者の待ち時間に応じたポイントを利用者に付与して、利用者の保有するポイントに応じたサービスまたは物品を利用者に提供する業務を支援する施設運営支援システムであって、施設の利用者が所持する携帯端末装置と、この携帯端末装置とネットワークを介して通信可能に接続されたサーバ装置と、を備え、前記携帯端末装置および前記サーバ装置のいずれかが、施設での利用者の待ち時間を計測する待ち時間計測部を備え、前記サーバ装置が、利用者が施設を利用する際の状況に関する環境情報に基づいて換算率を設定して、その換算率に基づいて前記待ち時間に応じた獲得ポイントを算出して、その獲得ポイントにより利用者の保有する累計ポイントを更新するポイント管理部を備える構成とする。
【０００９】
また、本発明の携帯端末装置は、施設の利用者が所持する携帯端末装置であって、サーバ装置との間で通信を行う通信部と、施設内に複数設置される無線発信装置から送信される無線信号を受信する受信部と、表示部および入力部と、前記通信部、前記受信部、前記表示部および前記入力部を制御する制御部と、を備え、前記制御部は、前記受信部での前記無線信号の受信状況に基づいて待ち時間を計測する処理を、自装置または前記サーバ装置に行わせ、計測中の前記待ち時間を表示部に表示し、確定した前記待ち時間、および前記サーバ装置において、利用者が施設を利用する際の状況に関する環境情報に基づいて設定された換算率にしたがって前記待ち時間から算出された獲得ポイントを、前記表示部に表示し、前記サーバ装置において、前記獲得ポイントに以前の累計ポイントを加算して更新された累計ポイントを、前記表示部に表示し、前記サーバ装置において、前記累計ポイントに基づいて抽出されたで交換対象を、前記表示部に表示し、前記入力部により前記交換対象を選択する利用者の操作に応じて、前記サーバ装置において生成された、利用者が選択した前記交換対象の提供を受けるための証明情報を、前記表示部に表示する構成とする。
【００１０】
また、本発明のプログラムは、携帯端末装置のプロセッサに実行させるプログラムであって、施設内に複数設置される無線発信装置から送信される無線信号の受信状況に基づいて待ち時間を計測する処理を、自装置またはサーバ装置に行わせるステップと、計測中の前記待ち時間を表示部に表示するステップと、確定した前記待ち時間、および前記サーバ装置において、利用者が施設を利用する際の状況に関する環境情報に基づいて設定された換算率にしたがって前記待ち時間から算出された獲得ポイントを、前記表示部に表示するステップと、前記サーバ装置において、前記獲得ポイントに以前の累計ポイントを加算して更新された累計ポイントを、前記表示部に表示するステップと、前記サーバ装置において、前記累計ポイントに基づいて抽出された交換対象を、前記表示部に表示するステップと、入力部により前記交換対象を選択する利用者の操作に応じて、前記サーバ装置において生成された、利用者が選択した前記交換対象の提供を受けるための証明情報を、前記表示部に表示するステップと、を含む構成とする。
【発明の効果】
【００１１】
本発明によれば、利用者が施設を利用する際の状況に関する環境情報に基づいて設定された換算率を用いて待ち時間から獲得ポイントを算出するため、環境情報と獲得ポイントとの関係を適切に設定することで、施設の運営上の要望に沿った行動を利用者に促すことができる。これにより、待ち時間をポイントで利用者に還元することで、来場者の満足度を向上させると同時に、施設の運営上の効果も得ることができる。
【図面の簡単な説明】
【００１２】
【図１】本実施形態に係る施設運営支援システムの全体構成図
【図２】施設におけるビーコン発信機３の設置状況を示す説明図
【図３】施設におけるビーコン発信機３の設置状況の変形例を示す説明図
【図４】携帯端末１の概略構成を示すブロック図
【図５】サーバ２の概略構成を示すブロック図
【図６】携帯端末１およびサーバ２の動作手順を示すシーケンス図
【図７】携帯端末１に表示される画面を示す説明図
【図８】サーバ２の記憶部２３に記憶される利用者管理テーブルの登録内容を示す説明図
【図９】利用者の保有するポイントを別の利用者に移転するポイント移転の一例を示す説明図
【発明を実施するための形態】
【００１３】
前記課題を解決するためになされた第１の発明は、施設での利用者の待ち時間に応じたポイントを利用者に付与して、利用者の保有するポイントに応じたサービスまたは物品を利用者に提供する業務を支援する施設運営支援システムであって、施設の利用者が所持する携帯端末装置と、この携帯端末装置とネットワークを介して通信可能に接続されたサーバ装置と、を備え、前記携帯端末装置および前記サーバ装置のいずれかが、施設での利用者の待ち時間を計測する待ち時間計測部を備え、前記サーバ装置が、利用者が施設を利用する際の状況に関する環境情報に基づいて換算率を設定して、その換算率に基づいて前記待ち時間に応じた獲得ポイントを算出して、その獲得ポイントにより利用者の保有する累計ポイントを更新するポイント管理部を備える構成とする。
【００１４】
これによると、利用者が施設を利用する際の状況に関する環境情報に基づいて設定された換算率を用いて待ち時間から獲得ポイントを算出するため、環境情報と獲得ポイントとの関係を適切に設定することで、施設の運営上の要望に沿った行動を利用者に促すことができる。これにより、待ち時間をポイントで利用者に還元することで、来場者の満足度を向上させると同時に、施設の運営上の効果も得ることができる。
【００１５】
また、第２の発明は、さらに、施設内に複数設置される無線発信装置を備え、前記待ち時間計測部は、前記無線発信装置から送信される無線信号の前記携帯端末装置での受信状況に基づいて、前記待ち時間を計測する構成とする。
【００１６】
これによると、待ち時間を精度よく計測することができる。
【００１７】
また、第３の発明は、前記無線発信装置は、利用者の待ちエリアに１つ設置され、前記待ち時間計測部は、前記無線信号を前記携帯端末装置で受信したタイミングと、前記無線信号を前記携帯端末装置で受信できなくなったタイミングとに基づいて、前記待ち時間を計測する構成とする。
【００１８】
これによると、待ちエリアが比較的小さな場合に、待ち時間を精度よく計測することができる。
【００１９】
また、第４の発明は、前記無線発信装置は、利用者の待ちエリアおよび利用エリアに複数設置され、前記待ち時間計測部は、複数の前記無線発信装置からそれぞれ送信される前記無線信号を前記携帯端末装置で受信したタイミングに基づいて、前記待ち時間を計測する構成とする。
【００２０】
これによると、待ちエリアが比較的大きな場合に、待ち時間を精度よく計測することができる。
【００２１】
また、第５の発明は、前記環境情報は、カレンダー情報、天候情報、利用エリアごとの混雑度に関する情報、および利用者の属性情報の少なくともいずれか一つである構成とする。
【００２２】
これによると、施設の運営上の要望に沿った行動を利用者に促すことができる。
【００２３】
また、第６の発明は、前記ポイント管理部は、前記カレンダー情報に基づいて、当日が平日である場合には、休日である場合より前記換算率を高く設定する構成とする。
【００２４】
これによると、平日である場合に獲得ポイントが多くなるため、平日の来場者を増やすことができる。
【００２５】
また、第７の発明は、前記ポイント管理部は、前記天候情報に基づいて、当日が悪天候である場合には、悪天候でない場合より前記換算率を高く設定する構成とする。
【００２６】
これによると、悪天候である場合に獲得ポイントが多くなるため、悪天候時の来場者を増やすことができる。
【００２７】
また、第８の発明は、前記ポイント管理部は、前記利用エリアごとの混雑度に関する情報に基づいて、利用者が利用した前記利用エリアの混雑度が低い場合には、混雑度が高い場合より前記換算率を高く設定する構成とする。
【００２８】
これによると、混雑度が低い利用エリアである場合に獲得ポイントが多くなるため、混雑度が低い利用エリアの利用を促進することができる。
【００２９】
また、第９の発明は、前記ポイント管理部は、前記利用者の属性情報に基づいて、利用者が遠隔地からの来場者である場合には、遠隔地からの来場者でない場合より前記換算率を高く設定する構成とする。
【００３０】
これによると、遠隔地からの来場者である場合に獲得ポイントが多くなるため、遠隔地からの来場者を増やすことができる。
【００３１】
また、第１０の発明は、前記ポイント管理部は、利用者の指示に応じて、その利用者の保有するポイントを別の利用者に移転し、移転元の利用者と移転先の利用者とで構成されるグループによるポイントの利用を許可する構成とする。
【００３２】
これによると、グループでの来場を促進して、来場者数を増やすことができる。
【００３３】
また、第１１の発明は、施設の利用者が所持する携帯端末装置であって、サーバ装置との間で通信を行う通信部と、施設内に複数設置される無線発信装置から送信される無線信号を受信する受信部と、表示部および入力部と、前記通信部、前記受信部、前記表示部および前記入力部を制御する制御部と、を備え、前記制御部は、前記受信部での前記無線信号の受信状況に基づいて待ち時間を計測する処理を、自装置または前記サーバ装置に行わせ、計測中の前記待ち時間を表示部に表示し、確定した前記待ち時間、および前記サーバ装置において、利用者が施設を利用する際の状況に関する環境情報に基づいて設定された換算率にしたがって前記待ち時間から算出された獲得ポイントを、前記表示部に表示し、前記サーバ装置において、前記獲得ポイントに以前の累計ポイントを加算して更新された累計ポイントを、前記表示部に表示し、前記サーバ装置において、前記累計ポイントに基づいて抽出されたで交換対象を、前記表示部に表示し、前記入力部により前記交換対象を選択する利用者の操作に応じて、前記サーバ装置において生成された、利用者が選択した前記交換対象の提供を受けるための証明情報を、前記表示部に表示する構成とする。
【００３４】
これによると、第１の発明と同様に、待ち時間をポイントで利用者に還元することで、来場者の満足度を向上させると同時に、施設の運営上の効果も得ることができる。
【００３５】
また、第１２の発明は、携帯端末装置のプロセッサに実行させるプログラムであって、施設内に複数設置される無線発信装置から送信される無線信号の受信状況に基づいて待ち時間を計測する処理を、自装置またはサーバ装置に行わせるステップと、計測中の前記待ち時間を表示部に表示するステップと、確定した前記待ち時間、および前記サーバ装置において、利用者が施設を利用する際の状況に関する環境情報に基づいて設定された換算率にしたがって前記待ち時間から算出された獲得ポイントを、前記表示部に表示するステップと、前記サーバ装置において、前記獲得ポイントに以前の累計ポイントを加算して更新された累計ポイントを、前記表示部に表示するステップと、前記サーバ装置において、前記累計ポイントに基づいて抽出された交換対象を、前記表示部に表示するステップと、入力部により前記交換対象を選択する利用者の操作に応じて、前記サーバ装置において生成された、利用者が選択した前記交換対象の提供を受けるための証明情報を、前記表示部に表示するステップと、を含む構成とする。
【００３６】
これによると、第１の発明と同様に、待ち時間をポイントで利用者に還元することで、来場者の満足度を向上させると同時に、施設の運営上の効果も得ることができる。
【００３７】
以下、本発明の実施の形態を、図面を参照しながら説明する。
【００３８】
（第１実施形態）
図１は、本実施形態に係る施設運営支援システムの全体構成図である。
【００３９】
この施設運営支援システムは、テーマパークなどの施設を運営する業務を支援するものであり、携帯端末１（携帯端末装置）と、サーバ２（サーバ装置）と、ビーコン発信機３（無線発信装置）と、を備えている。なお、ここではテーマパークのアトラクションエリアに基づく例を説明するが、これ以外でも待ち時間の発生する施設（例えば、ショッピングモール、銀行など）においても、同様に本発明を適用することができる。
【００４０】
携帯端末１およびサーバ２はネットワークを介して接続されている。このネットワークは、ＷｉＦｉ（登録商標）などの無線ＬＡＮ通信や、ＬＴＥ（Long Term Evolution）などのセルラー通信などによる無線通信網、およびインターネットなどにより構成される。
【００４１】
携帯端末１は、施設の利用者が所持するものであり、スマートフォンやタブレット端末などの携帯デバイスである。この携帯端末１には、待ち時間計測およびポイント利用に関するアプリケーションがインストールされる。
【００４２】
サーバ２は、利用者ごとの待ち時間およびポイントを管理する。ポイントは、施設内で提供されるサービスまたは物品に交換することができる。本実施形態では、施設内の利用エリア（アトラクションなど）における利用者の待ち時間を計測して、この待ち時間に応じたポイントを利用者に付与する。
【００４３】
ビーコン発信機３は、施設内の適所に複数設置され、Bluetooth（登録商標）、例えばＢＬＥ（Bluetooth Low Energy）によるビーコン信号（測位用の無線信号）をブロードキャストで送信する。なお、ビーコン信号は、Bluetoothに限定されるものではなく、その他の近距離通信、例えばＷｉＦｉなどの無線ＬＡＮの通信方式によるものでもよい。
【００４４】
次に、施設におけるビーコン発信機３の設置状況について説明する。図２は、施設におけるビーコン発信機３の設置状況を示す説明図である。
【００４５】
利用者は、入口エリア（待ちエリア）、アトラクションエリア（利用エリア）、出口エリアを順次通過する。ビーコン発信機３は、入口エリアの入口側（計測開始地点）、アトラクションエリアの途中（中間地点）、および出口エリア（計測終了地点）の３箇所に設置されている。なお、この図２に示す例は、アトラクションの建屋内の入口エリアで利用者が行列待ちをする場合に好適である。
【００４６】
この場合、入口エリアに設置されたビーコン発信機３の信号を携帯端末１が受信すると、待ち時間計測を開始し、出口エリアに設置されたビーコン発信機３の信号を携帯端末１が受信すると、待ち時間計測を終了し、計測の開始から終了までの時間が待ち時間として計測される。なお、この場合、待ち時間にアトラクションの所要時間が含まれるため、計測された待ち時間からアトラクションの所要時間を差し引くようにしてもよい。
【００４７】
ここで、中間地点に設置されたビーコン発信機３の信号を受信した場合に限り、待ち時間が確定され、利用者が中間地点を通過しないと待ち時間が確定しない。これにより、アトラクションを利用せずに待ち時間を計測させて不正にポイントを取得することを防止することができる。
【００４８】
なお、入口エリアからアトラクションエリアに向かう方向とは逆の方向から出口エリアに進入することができない場合には、中間地点のビーコン発信機３を省略することができる。
【００４９】
次に、施設におけるビーコン発信機３の設置状況の変形例について説明する。図３は、施設におけるビーコン発信機３の設置状況の変形例を示す説明図である。
【００５０】
図３（Ａ）に示す例では、アトラクションエリアおよびその手前で行列が形成される行列エリア（待ちエリア）に２つのビーコン発信機３が設置されている。一方のビーコン発信機３は、行列エリアの端に設置される。他方のビーコン発信機３は、アトラクションエリアの入口側に設置される。この図３（Ａ）に示す例は、アトラクションの建屋の外で利用者が行列待ちをする場合に好適である。
【００５１】
この場合、行列エリアの端に設置されたビーコン発信機３の信号を携帯端末１が受信すると、利用者が行列に並んだものと判断して、待ち時間計測を開始し、アトラクションエリアの入口側に設置されたビーコン発信機３の信号を携帯端末１が受信すると、利用者がアトラクションエリアに進んだものと判断して、待ち時間計測を終了し、計測の開始から終了までの時間が待ち時間として計測される。
【００５２】
なお、利用者が行列待ちする行列エリアが、固定式のフェンスで仕切られている場合には、行列エリアの端の位置は変化しないため、その位置にビーコン発信機３を設置すればよい。一方、移動式のパーティションポールなどで行列エリアを仕切る場合には、行列エリアが変化するため、想定される最長の行列の最後尾の位置にビーコン発信機３を設置すればよい。また、行列の最後尾の位置に、移動式の案内板を設置する場合には、その案内板にビーコン発信機３を設けるようにしてもよい。
【００５３】
また、計測終了地点のビーコン発信機３を行列の先頭の位置に設置して、ビーコン発信機３の信号を携帯端末１が受信できなくなると、利用者がアトラクションエリアに進んだものと判断して、待ち時間計測を終了するようにしてもよい。
【００５４】
図３（Ｂ）に示す例では、アトラクションエリアの手前の待ちエリアに１つのビーコン発信機３が設置されている。この図３（Ｂ）に示す例は、アトラクションの建屋内に比較的小さな待ちエリアが設けられている場合に好適である。
【００５５】
この場合、ビーコン発信機３の信号を携帯端末１が受信すると、利用者が待ちエリアに入ったものと判断して、待ち時間計測を開始し、ビーコン発信機３の信号を携帯端末１が受信できなくなると、利用者がアトラクションエリアに進んだものと判断して、待ち時間計測を終了し、計測の開始から終了までの時間が待ち時間として計測される。
【００５６】
なお、図３（Ｂ）に示す例では、ビーコン発信機３の通信エリアを、待ちエリアの範囲に対応するように設定するとよい。
【００５７】
次に、携帯端末１の概略構成について説明する。図４は、携帯端末１の概略構成を示すブロック図である。
【００５８】
携帯端末１は、通信部１１と、ビーコン受信部１２と、ＧＰＳ測位部１３と、制御部１４と、記憶部１５と、表示部１６と、入力部１７と、を備えている。
【００５９】
通信部１１は、ネットワークを介してサーバ２との間で通信を行う。本実施形態では、受信通知（ビーコン信号の受信状況に関する通知）、交換要求（ポイントを交換する要求）、選択通知（選択した交換対象の通知）などをサーバ２に送信する。また、サーバ２から送信される配信情報を受信する。
【００６０】
ビーコン受信部１２は、ビーコン発信機３から送信されるビーコン信号を受信する。
【００６１】
ＧＰＳ測位部１３は、ＧＰＳ（Global Positioning System）により自装置の位置情報を取得する。なお、ＧＰＳ以外の衛星測位システムを利用するようにしてもよい。
【００６２】
記憶部１５は、ＭＡＣアドレスなどの端末識別情報や、制御部１４で実行されるプログラムなどを記憶する。
【００６３】
表示部１６は、液晶表示パネルなどで構成される。入力部１７は、タッチパネルや操作ボタンなどで構成される。なお、表示部１６および入力部１７は、タッチパネルディスプレイで構成することができる。
【００６４】
制御部１４は、プロセッサで構成され、記憶部２３に記憶されたプログラムを実行する。本実施形態では、通信部１１でビーコン信号を受信すると、端末識別情報、および計測開始地点のビーコン信号を受信したことを表す情報（例えばビーコン信号の送信元のビーコン発信機３の識別情報）を含む受信通知をサーバ２に送信する処理を行う。また、サーバ２から送信される配信情報を受信すると、その配信情報に応じた画面を表示する処理を行う。
【００６５】
次に、サーバ２の概略構成について説明する。図５は、サーバ２の概略構成を示すブロック図である。
【００６６】
サーバ２は、通信部２１と、制御部２２と、記憶部２３と、を備えている。
【００６７】
通信部２１は、ネットワークを介して携帯端末１との間で通信を行う。本実施形態では、携帯端末１から送信される受信通知（ビーコン信号の受信状況に関する通知）、交換要求（ポイントを交換する要求）、選択通知（選択した交換対象の通知）などを受信する。また、携帯端末１で画面表示するための配信情報を携帯端末１に送信する。
【００６８】
記憶部２３は、カレンダー情報や、利用者属性データベースや、利用者管理テーブルや、制御部２２で実行されるプログラムなどを記憶する。
【００６９】
制御部２２は、待ち時間計測部３１と、ポイント管理部３２と、交換対象抽出部３３と、証明情報生成部３４と、を備えている。この制御部２２はプロセッサで構成され、制御部２２の各部は、記憶部２３に記憶されたプログラム（インストラクション）をプロセッサに実行させることで実現される。
【００７０】
待ち時間計測部３１は、各利用者の利用エリア（アトラクションなど）における待ち時間を計測する。本実施形態では、携帯端末１から送信される受信通知に基づいて待ち時間を計測する。
【００７１】
ここで、図２および図３（Ａ）に示したビーコン発信機３の設置状況では、複数のビーコン発信機３からそれぞれ送信されるビーコン信号を携帯端末１で受信したタイミングに基づいて、待ち時間を計測する。すなわち、計測開始地点のビーコン発信機３のビーコン信号を携帯端末１で受信すると、待ち時間計測を開始し、計測終了地点のビーコン発信機３のビーコン信号を携帯端末１で受信すると、待ち時間計測を終了する。
【００７２】
また、図３（Ｂ）に示したビーコン発信機３の設置状況では、ビーコン信号を携帯端末１で受信したタイミングと、ビーコン信号を携帯端末１で受信できなくなったタイミングとに基づいて、待ち時間を計測する。すなわち、ビーコン信号を携帯端末１で受信すると、待ち時間計測を開始し、ビーコン信号を携帯端末１で受信できなくなると、待ち時間計測を終了する。
【００７３】
なお、本実施形態では、携帯端末１から送信される受信通知（ビーコン信号の受信状況に関する通知）に応じてサーバ２で待ち時間計測（計時）を行うようにしたが、携帯端末１でビーコン信号を受信した時刻や受信できなくなった時刻をサーバ２に送信して、その時刻から待ち時間を算出するようにしてもよい。
【００７４】
ポイント管理部３２は、各利用者の保有するポイントを管理するものであり、環境情報取得部４１と、換算率設定部４２と、獲得ポイント取得部４３と、累計ポイント更新部４４と、を備えている。
【００７５】
環境情報取得部４１は、利用者が施設を利用する際の状況に関する環境情報を取得する。この環境情報は、カレンダー情報、天候情報、利用エリア（アトラクションなど）の混雑度に関する情報、および利用者の属性情報（利用者の所在地、年齢、来場回数など）の少なくともいずれかである。
【００７６】
ここで、カレンダー情報は、記憶部２３に記憶されている。また、天候情報は、当日に管理者が入力すればよいが、気象情報提供サーバから取得するようにしてもよい。また、利用エリアの混雑度に関する情報は、当日に管理者が入力すればよいが、利用エリアに存在する携帯端末１の数からリアルタイムに取得するようにしてもよい。また、利用者の属性情報は、事前に利用者が携帯端末１などで入力し、記憶部２３の利用者属性データベースに登録されている。
【００７７】
換算率設定部４２は、環境情報取得部４１で取得した環境情報に基づいて、獲得ポイント取得部４３において待ち時間から獲得ポイントを算出する際の換算率を設定する。
【００７８】
獲得ポイント取得部４３は、換算率設定部４２で設定された換算率に基づいて、待ち時間計測部３１で取得した待ち時間に応じた獲得ポイントを取得する。この獲得ポイントは、次式のように、待ち時間に換算率を乗じることで算出される。
獲得ポイント＝待ち時間×換算率
【００７９】
ここで、本実施形態では、環境情報としてのカレンダー情報に基づいて換算率を設定する。このとき、カレンダー情報に基づいて、例えば当日が平日および休日のいずれであるかを判定する。そして、当日が平日である場合には、休日である場合より換算率を高く設定して、獲得ポイントが多くなるようにする。これにより、平日の来場者を増やすことができる。
【００８０】
また、本実施形態では、環境情報としての天候情報に基づいて換算率を設定する。このとき、天候情報に基づいて、例えば当日が悪天候（雨天）であるか否かを判定する。そして、当日が悪天候である場合には、悪天候でない場合より換算率を高く設定して、獲得ポイントが多くなるようにする。これにより、悪天候時の来場者を増やすことができる。
【００８１】
また、本実施形態では、環境情報としての利用エリアの混雑度に関する情報に基づいて換算率を設定する。このとき、利用エリアの混雑度に関する情報、例えば平均待ち時間、すなわち、各利用者の待ち時間を平均した時間に基づいて、利用エリアが混雑エリアか否かを判定する。そして、混雑エリアでない場合には、混雑エリアある場合より換算率を高く設定して、獲得ポイントが多くなるようにする。これにより、混雑度が低い利用エリアの利用を促進することができる。
【００８２】
また、本実施形態では、環境情報としての利用者の属性情報に基づいて換算率を設定する。利用者の属性情報は、利用者の所在地、年齢、および来場回数などである。
【００８３】
例えば、利用者の属性情報を利用者の所在地とした場合には、利用者の所在地から施設までの距離を取得して、利用者が遠隔地からの来場者か否かを判定する。具体的には、距離判定しきい値（例えば、１００ｋｍ）を設定し、このしきい値と利用者の所在地から施設までの距離とを比較して、遠隔地からの来場者か否かを判定するようにする。また、このしきい値を複数設定して、利用者の所在地から施設までの距離に応じて換算率を複数設定することもできる。そして、利用者が遠隔地からの来場者である場合には、遠隔地からの来場者でない場合より換算率を高く設定して、獲得ポイントが多くなるようにする。これにより、遠隔地からの来場者を増やすことができる。
【００８４】
また、利用者の属性情報を年齢とした場合には、高齢であるか否かを判定する。そして、高齢（例えば、６０歳以上）である場合には、高齢でない場合（６０歳未満）より換算率を高く設定して、獲得ポイントが多くなるようにする。これにより、高齢な来場者を増やすことができる。
【００８５】
また、利用者の属性情報を来場回数とした場合には、来場回数の多少を判定する。そして、来場回数が多い場合（例えば、１０回以上）には、来場回数が少ない場合（１０回未満）より換算率を高く設定して、獲得ポイントが多くなるようにする。これにより、リピート率を高めることができる。
【００８６】
ここで、換算率は、複数の環境情報に基づいて設定することができる。この場合、環境情報ごとの倍率を乗じることで換算率を算出すればよい。例えば、環境情報を、カレンダー情報、天候情報、および利用エリアごとの混雑度に関する情報とすると、次式により換算率が算出される。
換算率＝平日の倍率×悪天候時の倍率×混雑エリアの倍率
【００８７】
ここで、平日の倍率は例えば１．５に設定され、悪天候時の倍率は例えば１．５に設定され、混雑エリアの倍率は例えば０．５に設定される。これにより、悪天候である場合や平日である場合には換算率が大きくなり、混雑エリアの場合には換算率が小さくなる。
【００８８】
累計ポイント更新部４４では、獲得ポイント取得部４３で取得した獲得ポイントを以前の累計ポイントに加算して、累計ポイントを更新する。また、利用者がポイントを利用して交換対象となるサービスまたは物品の提供を受けると、利用したポイントを累計ポイントから減算して、累計ポイントを更新する。
【００８９】
なお、ポイントは、次回の来場時に繰り越すことができるようにするとよい。また、ポイントに有効期限（例えば１年間）を設定するようにするとよい。このようにすると、リピート率を向上させて来場者数を増やすことができる。
【００９０】
交換対象抽出部３３では、利用者からの交換要求に応じて、利用者の累計ポイントで交換できる交換対象（サービスや物品）を抽出する。
【００９１】
証明情報生成部３４では、交換対象（サービスや物品）の提供を受ける際に必要となる証明情報、例えば２次元コードを生成する。なお、証明情報は、２次元コードのように読取装置で読み取るものの他、担当者が目視で確認するものであってもよい。
【００９２】
次に、携帯端末１およびサーバ２の動作について説明する。図６は、携帯端末１およびサーバ２の動作手順を示すシーケンス図である。なお、ここでは、図２に示したように、ビーコン発信機３が３つ設置された場合について説明する。
【００９３】
まず、携帯端末１において、利用者が、ＧＰＳ測位部１３の機能をオン状態とし、待ち時間計測のアプリケーションを起動すると、アプリトップ画面（図７（Ａ）参照）が表示される。また、利用者が、Bluetoothによるビーコン信号を受信するビーコン受信部１２の機能をオン状態とする。そして、利用者が計測開始地点に到達することで、携帯端末１において、計測開始地点のビーコン発信機３から送信されるビーコン信号を受信すると、ビーコン信号の受信通知をサーバ２に送信する。
【００９４】
サーバ２では、携帯端末１から送信される受信通知を受信すると、その受信通知が計測開始地点のビーコン発信機３のビーコン信号に関するものであれば、待ち時間計測部３１において、待ち時間計測を開始する。そして、計測中の待ち時間を含む配信情報を携帯端末１に送信する。携帯端末１では、サーバ２から送信される配信情報を受信すると、その配信情報に基づいて待ち時間計測画面（図７（Ｂ）参照）を表示する。
【００９５】
次に、利用者が中間地点に到達することで、携帯端末１において、中間地点のビーコン発信機３から送信されるビーコン信号を受信すると、ビーコン信号の受信通知をサーバ２に送信する。さらに、利用者が計測終了地点に到達することで、携帯端末１において、計測終了地点のビーコン発信機３から送信されるビーコン信号を受信すると、ビーコン信号の受信通知をサーバ２に送信する。
【００９６】
サーバ２では、携帯端末１から送信される受信通知を受信すると、その受信通知が計測終了地点のビーコン発信機３のビーコン信号に関するものであれば、待ち時間計測を終了する。また、中間地点のビーコン発信機３のビーコン信号に関する受信通知で、利用者が中間地点を通過したことが確認されると、獲得ポイント取得部４３において、待ち時間を確定して、その待ち時間に応じた獲得ポイントを取得する。そして、獲得ポイントを含む配信情報を携帯端末１に送信する。携帯端末１では、サーバ２から送信される配信情報に基づいて獲得ポイント画面（図７（Ｃ）参照）を表示する。
【００９７】
また、サーバ２では、累計ポイント更新部４４において、獲得ポイントを以前の累計ポイントに加算して累計ポイントを更新する。そして、累計ポイントを含む配信情報を携帯端末１に送信する。携帯端末１では、サーバ２から送信される配信情報に基づいて累計ポイント画面（図７（Ｄ）参照）を表示する。
【００９８】
携帯端末１では、累計ポイント画面で利用者がポイントの交換を要求する操作を行うと、交換要求をサーバ２に送信する。サーバ２では、携帯端末１から送信される交換要求を受信すると、交換対象抽出部３３において、利用者の累計ポイントで交換できる交換対象（サービスや物品）を抽出する。そして、交換対象を含む配信情報を携帯端末１に送信する。携帯端末１では、サーバ２から送信される配信情報に基づいて交換対象選択画面（図７（Ｅ）参照）を表示する。
【００９９】
携帯端末１では、交換対象選択画面で利用者が交換対象を選択する操作を行うと、選択通知をサーバ２に送信する。サーバ２では、携帯端末１から送信される選択通知を受信すると、証明情報生成部３４において、交換対象となるサービスまたは物品の提供を受ける際に必要となる証明情報を生成する。そして、証明情報を含む配信情報を携帯端末１に送信する。携帯端末１では、サーバ２から送信される配信情報に基づいて証明情報提示画面（図７（Ｆ）参照）を表示する。
【０１００】
次に、携帯端末１に表示される画面について説明する。図７は、携帯端末１に表示される画面を示す説明図である。
【０１０１】
図７（Ａ）に示すアプリトップ画面には、選択メニューが表示される。この選択メニューで、「ガイド」を選択すると、施設（テーマパーク）の案内を表示する画面に遷移する。また、「スケジュール」を選択すると、パレードやショーなどの催し物のスケジュールを表示する画面に遷移する。また、「混雑状況」を選択すると、アトラクションの混雑状況を表示する画面に遷移する。また、「待ち時間計測」を選択すると、図７（Ｂ）に示す待ち時間計測画面に遷移する。
【０１０２】
図７（Ｂ）に示す待ち時間計測画面には、待ち時間を計測している最中に、対象となるアトラクションの名称と、計測中の待ち時間とが表示される。
【０１０３】
図７（Ｃ）に示す獲得ポイント画面には、利用対象となるアトラクションの名称と、待ち時間と、獲得ポイントとが表示される。
【０１０４】
図７（Ｄ）に示す累計ポイント画面には、利用者の累計ポイントが表示される。また、この累計ポイント画面には、「交換する」のボタンが表示される。利用者が累計ポイントをサービスまたは物品に交換したい場合には、このボタンを操作する。すると、図７（Ｅ）に示す交換対象選択画面に遷移する。
【０１０５】
図７（Ｅ）に示す交換対象選択画面には、累計ポイントで交換可能な交換対象、すなわち、特別な体験などのサービスや、特別な物品などが一覧表示される。また、この交換対象選択画面には、交換対象ごとに「選択する」のボタンが表示される。このボタンを操作すると、図７（Ｆ）に示す証明情報提示画面に遷移する。
【０１０６】
図７（Ｆ）に示す証明情報提示画面には、交換対象となるサービスや物品の名称と、証明情報とが表示される。図７（Ｆ）に示す例では、証明情報として２次元コードが表示されている。交換対象となるサービスや物品が提供される場所に利用者が出向いて、証明情報提示画面を担当者に提示することで、交換対象となるサービスや物品が利用者に提供される。
【０１０７】
なお、本実施の形態では、待ち時間を計測後に、利用者の累計ポイントを表示し、その累計ポイントで交換可能な交換対象を一覧表示するようにしているが、利用者は、いつでも累計ポイントを呼び出して表示させることができ、交換対象の一覧へと移行させることができる。
【０１０８】
次に、サーバ２の記憶部２３に記憶される利用者管理テーブルについて説明する。図８は、利用者管理テーブルの登録内容を示す説明図である。ここでは、利用者管理テーブルにおける１人の利用者に関する登録内容の遷移状況を示す。
【０１０９】
サーバ２の記憶部２３には、利用者管理テーブル（利用者管理情報）が記憶される。この利用者管理テーブルには、ＭＡＣアドレス（端末識別情報）、利用中のアトラクションの識別情報、計測中待ち時間、中間地点フラグ、計測完了待ち時間、獲得ポイント、累計ポイントの各項目の情報が登録される。
【０１１０】
ここで、ＭＡＣアドレスは、携帯端末１から通知されるものである。また、利用中のアトラクションは、ビーコン信号の送信元のビーコン発信機３の識別情報から判定することができる。
【０１１１】
計測中待ち時間は、待ち時間計測部３１で計測中の待ち時間であり、利用者が計測開始地点を通過して待ち時間計測が開始されると、図８（Ａ）に示すように、計測中待ち時間の項目に、待ち時間計測部３１で取得した計測中の待ち時間が登録される。
【０１１２】
中間地点フラグは、中間地点のビーコン発信機３のビーコン信号を携帯端末１で受信したことを表すものであり、利用者が中間地点を通過すると、図８（Ｂ）に示すように、中間地点フラグが立つ。
【０１１３】
計測完了待ち時間は、待ち時間計測部３１で計測された待ち時間であり、利用者が計測終了地点を通過して待ち時間計測が終了すると、図８（Ｃ）に示すように、計測完了待ち時間の項目に、待ち時間計測部３１で取得した待ち時間が登録され、獲得ポイントの項目に、獲得ポイント取得部４３で取得した獲得ポイントが登録される。
【０１１４】
また、獲得ポイントを取得すると、累計ポイント更新部４４で累計ポイントを更新する処理が行われ、図８（Ｄ）に示すように、累計ポイントの項目に、累計ポイントに獲得ポイントを加算することで更新された累計ポイントが登録される。
【０１１５】
次に、利用者の保有するポイントを別の利用者に移し替えるポイント移転について説明する。図９は、ポイント移転の一例を示す説明図である。
【０１１６】
ポイント管理部３２では、利用者の指示に応じて、その利用者の保有するポイントを別の利用者に移転し、移転元の利用者と移転先の利用者とで構成されるグループによるポイントの利用を許可する。
【０１１７】
具体的には、１人の利用者が代表者となり、その代表者となる利用者に、別の利用者のポイントを移転することができ、代表者となる利用者の保有ポイントは、以前の保有ポイントに、別の利用者から移転されたポイントを合算したものとなり、この合算したポイントを、移転元の利用者と移転先の利用者とで構成されるグループで利用することができる。
【０１１８】
図９に示す例では、利用者Ｂ，Ｃの保有するポイントを、代表者となる利用者Ａに移転している。利用者Ｂ，Ｃから移転されたポイントを、利用者Ａの以前の保有ポイントに合算すると、交換対象（サービスや物品）の提供を受けるために必要な３人分のポイントを上回る。このため、利用者Ｂ，Ｃがそれぞれ保有するポイントが１人分のポイントに達しない場合でも、利用者Ａ，Ｂ，Ｃの３人全員が、交換対象の提供を受けることができる。
【０１１９】
なお、移転するポイントは、移転元の利用者が自分の保有するポイント内で指定することができるようにするとよい。
【０１２０】
このように本実施形態では、利用者の保有するポイントを別の利用者に移転して、グループでポイントを共用することができるため、グループでの来場を促進して、来場者数を増やすことができる。
【０１２１】
ここで、ポイントの利用をグループによる場合に限定するには、別の利用者からポイントを受け取った利用者が１人でポイントを利用することを防止する必要がある。また、ポイントを移転した利用者とは異なる利用者が、別人になりすましてポイントを利用することを防止する必要がある。
【０１２２】
このようなポイントの不正利用を防止するには、移転先の利用者に関する利用者管理情報として、保有ポイントの一部が他人から移転されたものであることを示す移転情報や、移転元の利用者の端末識別情報を登録し、グループでポイントを利用する際に、ポイントを提供した人物が同行していることを確認するようにすればよい。
【０１２３】
なお、本実施形態では、端末識別情報（ＭＡＣアドレスなど）に基づいて利用者単位でポイントを管理するため、利用者の保有するポイントを別の利用者に移転するようにしたが、グループ単位でポイントを管理するようにすれば、各人が保有するポイントをグループに集めることができる。この場合、サーバ２がグループ管理情報を保持し、このグループ管理情報にグループを登録することで、各人が保有するポイントをグループで合算することができる。
【０１２４】
（第２実施形態）
次に、第２実施形態について説明する。前記第１実施形態では、ビーコン発信機３の信号を携帯端末１が受信すると、待ち時間計測を開始し、出口エリアに設置されたビーコン発信機３の信号を携帯端末１が受信すると、待ち時間計測を終了し、計測の開始から終了までの時間を待ち時間として計測するようにしたが、第２実施形態においては、ビーコン発信機３の信号を受信してから所定時間（例えば５分）が経過すると、そのビーコン信号の受信エリア（待ちエリア）において利用者が待ち状態にあると識別することができる。そのとき、サーバ２では、利用者の待ちエリアで待ち時間を有効活用するための推奨コンテンツ（クーポン、レストラン案内、買物サイトなど）を利用者の携帯端末１宛てに配信する。サーバ２は、現状の混雑度から利用者の待ちエリアで予想される待ち時間の値によって、推奨コンテンツの数や内容を変更してもよい。また、サーバ２は、その日の商品の過剰在庫情報、レストランの空き情報などを参照し、売上効果を望む推奨コンテンツを抽出して、利用者の携帯端末１宛てに配信することができる。また、初回のコンテンツ配信時に、推奨コンテンツを希望しない利用者のために、配信停止ボタンを含めて送り、配信停止ボタンによる返信が行われた場合に、以降の推奨コンテンツの配信を中止することもできる。
【０１２５】
以上、第２実施形態によれば、利用者の待ちエリアでの待ち状態が識別されると、サーバ２が利用者に合致した推奨コンテンツが配信されるため、待ち時間を有効活用することが可能となる。
【０１２６】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【０１２７】
例えば、前記の実施形態では、待ち時間計測およびポイント管理などの処理を１つのサーバ（情報処理装置）で行うようにしたが、必要な処理を複数のサーバで分担するようにしてもよい。
【０１２８】
また、前記の実施形態では、サーバで待ち時間計測を行うようにしたが、携帯端末で待ち時間計測を行い、計測された待ち時間を携帯端末からサーバに送信するようにしてもよい。
【産業上の利用可能性】
【０１２９】
本発明に係る施設運営支援システム、携帯端末装置およびプログラムは、待ち時間をポイントで利用者に還元することで、来場者の満足度を向上させると同時に、施設の運営上の効果も得ることができ、施設での利用者の待ち時間に応じたポイントを利用者に付与して、利用者の保有するポイントに応じたサービスまたは物品を利用者に提供する業務を支援する施設運営支援システム、施設の利用者が所持する携帯端末装置、および携帯端末装置のプロセッサに実行させるプログラムなどとして有用である。
【符号の説明】
【０１３０】
１  携帯端末（携帯端末装置）
２  サーバ（サーバ装置）
３  ビーコン発信機（無線発信装置）
１１  通信部
１２  ビーコン受信部
１３  測位部
１４  制御部
１５  記憶部
１６  表示部
１７  入力部
２１  通信部
２２  制御部
２３  記憶部
３１  待ち時間計測部
３２  ポイント管理部
３３  交換対象抽出部
３４  証明情報生成部
４１  環境情報取得部
４２  換算率設定部
４３  獲得ポイント取得部
４４  累計ポイント更新部
【図１】
2018084900.tif 000003
【図２】
2018084900.tif 000004
【図３】
2018084900.tif 000005
【図４】
2018084900.tif 000006
【図５】
2018084900.tif 000007
【図６】
2018084900.tif 000008
【図７】
2018084900.tif 000009
【図８】
2018084900.tif 000010
【図９】
2018084900.tif 000011